(57)【要約】【課題】  サイドシールの防塵性の向上を図ることにより、スライダ内への異物の侵入を防止して異物使用環境での寿命延長を図ることができる直動案内軸受装置を提供する。【解決手段】  スライダ２の軸方向の端部に案内レール１に対して所定の締め代を持って装着されたサイドシール１１を備えた直動案内軸受装置において、サイドシール１１の案内レール１の上面中央部に対するの締め代δ１を該案内レール１の側面部に対する締め代δ２より大きくする。【選択図】      図１
2006170280.tif 000002
【特許請求の範囲】
【請求項１】
軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に前記案内レールに対して所定の締め代を持って装着されたサイドシールとを備えた直動案内軸受装置において、
前記サイドシールの前記案内レールの上面中央部に対する締め代δ１を該案内レールの側面部に対する締め代δ２より大きくしたことを特徴とする直動案内軸受装置。
【請求項２】
前記締め代δ１を前記締め代δ２の１０５〜１３０％に設定したことを特徴とする請求項１に記載した直動案内軸受装置。
【請求項３】
前記サイドシールの前記締め代δ１の設定部分の形状を台形又はＲ形としたことを特徴とする請求項１又は２に記載した直動案内軸受装置。
【発明の詳細な説明】
【技術分野】
【０００１】
本発明は、例えば工作機械や半導体製造設備等に用いられる直動案内軸受装置に関する。
【背景技術】
【０００２】
従来のこの種の直動案内軸受装置としては、例えば図５及び図６に示すものが知られている。
この直動案内軸受装置は、軸方向に延びる案内レール１と、該案内レール１上に軸方向に相対移動可能に跨架された断面略コ字状のスライダ２とを備えており、案内レール１の幅方向の両側面部にはそれぞれ軸方向に延びる転動体転動面３が片側上下二条列ずつ、合計４条列形成されている。スライダ２のスライダ本体２Ａには、その両袖部４の内側面にそれぞれ転動体転動面３に対向する転動体転動面５が片側上下二条列ずつ、合計４条列形成されている。
【０００３】
両転動体転動面３，５の間には転動体としての多数のころ６が転動自在に装填され、これらのころ６の転動を介してスライダ２が案内レール１上を軸方向に沿って相対移動できるようになっている。
この移動につれて、案内レール１とスライダ２との間に介在するころ６は転動してスライダ２の軸方向の端部に移動するが、スライダ２を軸方向に継続移動させていくためには、これらのころ６を無限に循環させる必要がある。
【０００４】
このため、スライダ本体２Ａの両袖部４内に軸方向に貫通する孔７を片側上下２箇所ずつ、合計４箇所形成して該孔７に内部がころ６の通路（転動体通路）８ａとされた循環スリーブ８を嵌め込むと共に、スライダ本体２Ａの軸方向の両端にそれぞれ転動体循環部品としての一対のエンドキャップ９をねじ１０等を介して固定し、このエンドキャップ９に上記両転動体転動面３，５間と上記転動体通路８ａとを連通する略円弧状に湾曲した方向転換路（図示せず）を形成することにより、ころ６の無限循環軌道を形成している。
【０００５】
そして、この例では、上側の転動体通路８ａと下側の両転動体転動面３，５間とを連通する方向転換路と、下側の転動体通路８ａと上側の両転動体転動面３，５間とを連通する方向転換路とを形成している。
また、エンドキャップ９の外面には、該エンドキャップ９と共にスライダ本体２Ａの端面にねじ１０等を介して固定されるサイドシール１１が取り付けられている。
【０００６】
サイドシール１１は例えば鋼板等にゴムを焼付接着すること等により形成されており、エンドキャップ９と同様に略コ字状とされて内周部が所定の締め代を持って案内レール１に押圧接触するシール面とされている。そして、スライダ２が案内レール１上を軸方向に移動する際に、案内レール１上に付着した異物を排除してスライダ２内部の防塵を行うようになっている。
【発明の開示】
【発明が解決しようとする課題】
【０００７】
上記従来の直動案内軸受装置においては、サイドシール１１の内周部の案内レール１に対する締め代は略均一とされているため、図５を参照して、サイドシール１１の内周部が案内レール１に押圧接触した際には、サイドシール１１の内周部の案内レール１の上面に押圧接触する部分１３において、両端部近傍１３ａは案内レール１の上部両側部１２を押圧接触する部分と連続しているため、案内レール１の上面中央部に押圧接触する部分１３より剛性が高くなる。このため、案内レール１の上面中央部に押圧接触する部分１３が逃げて防塵性を低下させる虞れがある。
本発明はこのような不都合を解消するためにされたものであり、サイドシールの防塵性の向上を図ることができる直動案内軸受装置を提供することを目的とする。
【課題を解決するための手段】
【０００８】
上記目的を達成するために、請求項１に係る発明は、軸方向に延びる転動体転動面を有する案内レールと、該案内レールの前記転動体転動面に対向する転動体転動面を有し、これらの両転動体転動面間に挿入された多数の転動体の転動を介して軸方向に沿って相対移動可能に前記案内レールに跨架されたスライダと、該スライダの軸方向の端部に前記案内レールに対して所定の締め代を持って装着されたサイドシールとを備えた直動案内軸受装置において、
前記サイドシールの前記案内レールの上面中央部に対する締め代δ１を該案内レールの側面部に対する締め代δ２より大きくしたことを特徴とする。
請求項２に係る発明は、請求項１において、前記締め代δ１を前記締め代δ２の１０５〜１３０％に設定したことを特徴とする。
請求項３に係る発明は、請求項１又は２において、前記サイドシールの前記締め代δ１の設定部分の形状を台形又はＲ形としたことを特徴とする。
【発明の効果】
【０００９】
本発明によれば、サイドシールの案内レールの上面中央部に対する締め代δ１を該案内レールの側面部に対する締め代δ２より大きくしているので、サイドシールの内周部が全域に渡って案内レールに適正な圧力で押圧接触し、これにより、サイドシールの防塵性が向上してスライダ内への異物の侵入が防止され、異物使用環境での直動案内軸受装置の寿命延長を図ることができる。
【発明を実施するための最良の形態】
【００１０】
以下、本発明の実施の形態の一例を図を参照して説明する。図１は本発明の実施の形態の一例である直動案内軸受装置のサイドシールを示す図、図２〜図４は本発明の他の実施の形態である直動案内軸受装置のサイドシールを示す図である。なお、各実施の形態共に、既に図５及び図６で説明した従来の直動案内軸受装置との相違点についてのみ説明し、必要部分については図５及び図６の符号を流用する。
【００１１】
本発明の実施の形態の一例である直動案内軸受装置は、図１に示すように、サイドシール１１の内周部の案内レール１の上面中央部に対する締め代δ１を該案内レール１の側面部に対する締め代δ２より大きくしており、具体的には、サイドシール１１の内周部の案内レール１の上面中央部に対する締め代δ１を該案内レール１の側面部に対する締め代δ２の１０５〜１３０％に設定している。
【００１２】
締め代δ１が締め代δ２の１０５％未満では、サイドシール１１の案内レール１の上面中央部に押圧接触する部分１３の押圧力が不十分となって良好な防塵性が得られない場合があり、一方、１３０％を超えると、サイドシール１１の案内レール１の上面中央部に押圧接触する部分１３の押圧力が強すぎてサイドシール１１の摩耗、破損等の弊害が発生する虞れがある。
【００１３】
また、サイドシール１１の締め代δ１の設定部分の形状、即ち、サイドシール１１の案内レール１の上面中央部に押圧接触する部分１３の形状は、この実施の形態では、同一肉厚の平面状としているが、特に限定されるものではなく、例えば図２に示すように、全域で案内レール１の上面部に向けて膨らむＲ形状としてもよく、また、図３に示すように、幅方向に中央部が部分的に案内レール１の上面部に向けて膨らむＲ形状としてもよく、更には、図４に示すように、台形形状としてもよい。
【００１４】
次に、表１に示すように、前記締め代δ１を前記締め代δ２の１００〜１５０％に変化させたサイドシール１１を用意し、それぞれをスライダ２に装着して案内レール１上を移動させた際のサイドシール１１の防塵性を評価した。試験結果を表１に示す。試験は、案内レール１の上面に異物を塗布し、スライダ２を移動させてサイドシール１１が通過した後の案内レール１の上面の異物の残量の有無により評価した。表１中の○は異物無し、×は異物有り、××は異物有り、且つシール損傷とする。
【００１５】
【表１】
2006170280.tif 000003
【００１６】
表１から締め代δ１を締め代δ２の１０５〜１３０％に設定することで、良好な防塵性が得られることが判る。
このようにこの実施の形態では、サイドシール１１の案内レール１の上面中央部に対する締め代δ１を該案内レール１の側面部に対する締め代δ２より大きくしているので、サイドシール１１の内周部が全域に渡って案内レールに適正な圧力で押圧接触し、これにより、サイドシール１１の防塵性が向上してスライダ２内への異物の侵入が防止され、異物使用環境での直動案内軸受装置の寿命延長を図ることができる。
【００１７】
なお、本発明は上記実施の形態に限定されるものではなく、本発明の要旨を逸脱しない範囲において適宜変更可能である。
例えば、上記実施の形態では、転動体としてころを用いた直動案内軸受装置を例示したが、転動体としてボールを用いた直動案内軸受装置に本発明を適用してもよいのは勿論である。
その他、上記実施の形態において例示した転動体転動面、案内レール、転動体、スライダ、サイドシール等の材質，形状，寸法，形態，数，配置個所等は本発明を達成できるものであれば任意であり、限定されない。
【図面の簡単な説明】
【００１８】
【図１】本発明の実施の形態の一例である直動案内軸受装置のサイドシールを示す図である。
【図２】本発明の他の実施の形態である直動案内軸受装置のサイドシールを示す図である。
【図３】本発明の他の実施の形態である直動案内軸受装置のサイドシールを示す図である。
【図４】本発明の他の実施の形態である直動案内軸受装置のサイドシールを示す図である。
【図５】従来の直動案内軸受装置の一例を説明するための一部を破断した図である。
【図６】図５の側面図である。
【符号の説明】
【００１９】
１  案内レール
２  スライダ
３  転動体転動溝（案内レール側）
５  転動体転動面（スライダ側）
６  ころ（転動体）
１１  サイドシール
【図１】
2006170280.tif 000004
【図２】
2006170280.tif 000005
【図３】
2006170280.tif 000006
【図４】
2006170280.tif 000007
【図５】
2006170280.tif 000008
【図６】
2006170280.tif 000009